(57)【要約】本発明は、化粧内容物を出没させて使うスティック型化粧品容器に関する。このスティック型化粧品容器は、上部外側に結合ネジ部（１１）及び結合段部（１２）が形成され、内部に挿入管（１５）が垂直に形成された下体（１０）と、前記下体（１０）の上部に回転可能に挿合され、下部の内周縁に螺旋部（２２）が形成された中体（２０）と、前記下体（１０）の内部の挿入管（１５）に下部が挿入され、外側に中体の螺旋部（２２）に螺合される螺合部（３１ｂ）が形成された螺旋管（３１）、及び上部にスティック型内容物（３５）が挿入結合される結合穴（３３ａ）が形成された結合管（３３）を有するホルダー（３０）と、前記下体（１０）の結合ネジ部（１１）に螺合しながら開閉作動する上部キャップ（４０）とを含んでなる。【選択図】図３
2019509826.tif 000002
【特許請求の範囲】
【請求項１】
上部外側に結合ネジ部（１１）及び結合段部（１２）が形成され、内部に挿入管（１５）が垂直に形成された下体（１０）と、
前記下体（１０）の上部に回転可能に挿合され、下部の内周縁に螺旋部（２２）が形成された中体（２０）と、
前記下体（１０）の内部の挿入管（１５）に下部が挿入され、外側に中体の螺旋部（２２）に螺合される螺合部（３１ｂ）が形成された螺旋管（３１）、及び上部にスティック型内容物（３５）が挿入結合される結合穴（３３ａ）が形成された結合管（３３）を有するホルダー（３０）と、
前記下体（１０）の結合ネジ部（１１）に螺合しながら開閉作動する上部キャップ（４０）とを含んでなることを特徴とする、螺旋形構造を有するスティック型化粧品容器。
【請求項２】
前記ホルダー（３０）は螺旋管（３１）と結合管（３３）が分離されて形成され、前記結合管の下部には、外周に係止突起（３４ａ）を有する等角分割構造の結合管部（３４）が突設され、前記螺旋管（３１）の上部には、結合管部（３４）が挿入されたとき、係止突起（３４ａ）によって離脱が防止されるように結合される結合溝部（３１ｃ）が対応して形成される、請求項１に記載の螺旋形構造を有するスティック型化粧品容器。
【請求項３】
前記ホルダー（３０）は、螺旋管（３１）の下部外側に、中体の螺旋部（２２）にかかって離脱を防止する係止突起（３２ａ）が形成され、螺旋管の結合時に内側に弾発的に移動しながら結合されるテンション作動片（３２）が形成されたことを特徴とする、請求項１又は２に記載の螺旋形構造を有するスティック型化粧品容器。
【請求項４】
前記下体（１０）の挿入管の外側に上下に昇降案内溝（１５ａ）が少なくとも一つ以上形成され、前記ホルダーのネジ管（３１）の内側には昇降案内溝に挿入されて案内される昇降案内突起（３１ａ）が突設されたことを特徴とする、請求項１又は２に記載の螺旋形構造を有するスティック型化粧品容器。
【請求項５】
前記下体（１０）の結合段部（１２）には気密部材（５０）が結合され、これに上部キャップ（４０）の下部の加圧面（４１）が垂直に加圧して気密に結合され、
前記ホルダーの結合管（３３）は上端部が中体（２０）の内径より少なくとも大きい直径を有するように外側に次第に広がる拡開密着部（３３ｂ）が形成され、これが中体の内部に弾発的に密着して気密性を確保することを特徴とする、請求項１又は２に記載の螺旋形構造を有するスティック型化粧品容器。
【請求項６】
前記ホルダーの結合管（３３）は、外側下部に、中体（２０）の内部に密着する支持突起（３３ｃ）が突設されてホルダーの遊動を防止することを特徴とする、請求項５に記載の螺旋形構造を有するスティック型化粧品容器。
【請求項７】
前記気密部材（５０）は下体の結合段部（１２）に形成されたリング形の溝部（１３）に一体にインサート成形されることを特徴とする、請求項５に記載の螺旋形構造を有するスティック型化粧品容器。
【請求項８】
前記気密部材（５０）は上部に部分接触面（５１）がさらに形成されることによって上部キャップの加圧面（４１）が線接触状態で気密に作動することを特徴とする、請求項５に記載の螺旋形構造を有するスティック型化粧品容器。
【請求項９】
前記気密部材（５０）の上面と上部キャップの加圧面（５１）にはエンボス（４２、５２）がさらに形成されることによって接触状態で気密に作動することを特徴とする、請求項５に記載の螺旋形構造を有するスティック型化粧品容器。
【発明の詳細な説明】
【技術分野】
【０００１】
本発明は、スティック型化粧内容物を出没させて使うスティック型化粧品容器に関し、より詳しくは、容器部品の組立工程数を最小化して組立構造を簡単にするとともに化粧内容物を螺旋形構造によって組立構造を簡素化し、微細調節ができるようにする螺旋形構造を有するスティック型化粧品容器に関する。
【背景技術】
【０００２】
一般に、スティック型化粧内容物、例えばリップスティック又はファンデーションなどの化粧内容物をスティック型に形成した場合、主に化粧品容器に内蔵し、必要時に出没させて使うように構成している。
【０００３】
このようなスティック型化粧品容器は多様な形態が開示されており、韓国登録実用新案第２０−０４７１７９１号公報（特許文献２）は、外部ケースと、前記外部ケースの内部に螺旋溝を有する螺旋管と、前記螺旋管の内部に垂直案内孔を有する回転管、前記回転管の内部に挿入され、螺旋管と回転管の螺旋溝、案内孔に挿入される案内突起を有するリップスティックホルダーと、上部キャップとが結合されて構成され、前記回転管の回転によってリップスティックホルダーが螺旋の案内作動によって昇降しながらリップスティックを外部ケースに対して出没させて使うものである。
【０００４】
このような従来のスティック型化粧品容器は多数の部品が組立される構造のもので、外部ケース、螺旋管、回転管、リップスティックホルダー及び上部キャップなどの最小で５個以上の部品が組み立てられて構成される複雑な構造のため、組立作業性が落ち、製造コストも上昇する問題点があった。
【０００５】
また、前述した従来のスティック型化粧品容器は、螺旋管の螺旋溝、回転管の垂直案内孔、リップスティックホルダーの案内突起による螺旋形案内構造によって回転管を回転させることによって案内突起が螺旋形に案内されながら急激に昇降作動するため、操作が不便であり、特に化粧内容物を微細に出没させて調節することが困難な問題点があった。
【０００６】
また、従来のスティック型化粧品容器は、気密性の確保のために、外部ケースの上部に上部キャップが螺合される構造を採択するとともに、前記外部ケースの上部外周面又は上部キャップの内周面に気密部材を備えて気密に結合するようにしたが、上部キャップの螺合過程で気密部材が螺合方式によってねじれながら内外側に密着するから、密着力を極大化することができなくて化粧内容物の変質をもたらす問題点があった。また、通常６００ｍｍｈｇを基準とする減圧テストを行うファンデーション又は湿式化粧品の場合にはもっと気密性を確保することができないので、製品の信頼性が落ちる問題点があった。
【０００７】
そして、従来のスティック型化粧品容器は、上部キャップの開放使用時、容器の内部に外部空気が流入し、上部キャップを閉じた後に化粧内容物と接触して化粧内容物の変質をもたらす問題点があった。
【先行技術文献】
【特許文献】
【０００８】
【特許文献１】韓国公開実用新案第２０−２０１５−０００４４２４号公報
【特許文献２】韓国登録実用新案第２０−０４７１７９１号公報
【特許文献３】韓国登録特許第１０−０９０２２７４号公報
【発明の概要】
【発明が解決しようとする課題】
【０００９】
本発明は、前述した従来技術が有する諸般問題点を解決するためになされたもので、容器部品の組立工程数を最小化し、組立構造を簡素化して組立作業性の向上及び製造コストの節減を成すとともに、化粧内容物を螺旋形構造によって出没するように操作するので、操作が簡便で微細調節が可能であり、優れた使用満足性を提供することにその目的がある。
【００１０】
本発明は、優れた容器の気密性を確保して、化粧内容物の水分や香りと固有の成分が外部に発散することを最小化し、外部空気との接触による変質のおそれを最小化することにその目的がある。
【００１１】
本発明は、ホルダー構造によって化粧内容物が螺旋方向に回転するとか又は回転なしに出没するように適用することができるとともに、化粧内容物の平断面形状に多様な形状を適用することにその目的がある。
【課題を解決するための手段】
【００１２】
本発明の螺旋形構造を有するスティック型化粧品容器は、上部外側に結合ネジ部及び結合段部が形成され、内部に挿入管が垂直に形成された下体と、前記下体の上部に回転可能に挿合され、下部の内周縁に螺旋部が形成された中体と、前記下体の内部の挿入管に下部が挿入され、外側に中体の螺旋部に螺合される螺合部が形成された螺旋管、及び上部にスティック型内容物が挿入結合される結合穴が形成された結合管を有するホルダーと、前記下体の結合ネジ部に螺合しながら開閉作動する上部キャップとを含んでなる。
【００１３】
前記ホルダーは螺旋管と結合管が分離されて形成されることができ、前記結合管の下部には、外周に係止突起を有する等角分割構造の結合管部が突設されることができ、前記螺旋管の上部には、結合管部が挿入されたとき、係止突起によって離脱が防止されるように結合される結合溝部が対応して形成されることができる。
【００１４】
前記ホルダーは、螺旋管の下部外側に、中体の螺旋部にかかって離脱を防止する係止突起が形成されることができ、螺旋管の結合時に内側に弾発的に移動しながら結合されるテンション作動片が形成されることができる。
【００１５】
前記下体の挿入管の外側に上下に昇降案内溝が少なくとも一つ以上形成されることができ、前記ホルダーのネジ管の内側には昇降案内溝に挿入されて案内される昇降案内突起が突設されることができる。
【００１６】
前記下体の結合段部には気密部材が結合され、これに上部キャップの下部の加圧面が垂直に加圧して気密に結合されることができ、前記ホルダーの結合管は上端部が中体の内径より少なくとも大きい直径を有するように外側に次第に広がる拡開密着部が形成され、これが中体の内部に弾発的に密着して気密性を確保することができる。
【００１７】
前記ホルダーの結合管は、外側下部に、中体の内部に密着する支持突起が突設されてホルダーの遊動を防止することができる。
【００１８】
前記気密部材は下体の結合段部に形成されたリング形の溝部に一体にインサート成形されることができる。
【００１９】
前記気密部材は上部に部分接触面がさらに形成されることによって上部キャップの加圧面が線接触状態で気密に作動するとか又は前記気密部材の上面と上部キャップの加圧面にはエンボスがさらに形成されることができる。
【発明の効果】
【００２０】
このような本発明は、下体と、前記下体に結合される中体と、前記中体に螺合されるとともに上部に化粧内容物が結合されるホルダーと、上部キャップとからなり、容器部品の組立工程数を最小化し、組立構造を簡素化して組立作業性を向上させ、製造コストも大きく節減するとともに、化粧内容物を螺旋形構造によって出没操作するので、操作が簡便で微細調節が可能であり、優れた使用満足性を提供する効果を有する。
【００２１】
また、前記下体と上部キャップ間の気密構造、前記ホルダーと中体間の気密構造によって優れた容器の気密性を確保して、化粧内容物の水分や香りと固有の成分が外部に発散することを最小化し、外部空気との接触による変質のおそれを最小化するので、製品の信頼性を一層高める。
【００２２】
また、前記ホルダーを一体型又は組立型に構成することによって化粧内容物が螺旋方向に回転するとか又は回転なしに出没するように適用することができ、これによって化粧内容物の平断面形状も円形以外に三角形、四角形、五角形などの多角形又はその他の多様な形状を適用することができる。
【図面の簡単な説明】
【００２３】
【図１】本発明容器の外観斜視図である。
【図２】図１の上部キャップの開放状態を示す斜視図である。
【図３】本発明の一実施例を示す分解斜視図である。
【図４】図３の要部の断面斜視図である。
【図５】図３の結合断面図である。
【図６】図５の要部の平断面図である。
【図７】図５の要部の拡大断面図である。
【図８】図５に示した気密部材の他の実施例を多様に示す要部の拡大断面図である。
【図９】図５に示した気密部材の他の実施例を多様に示す要部の拡大断面図である。
【図１０】図５に示した容器の使用状態を示す結合断面図である。
【図１１】本発明による容器の他の実施例を示す結合断面図である。
【図１２】図１１の要部の拡大図である。
【図１３】図１１のホルダー結合構造を示す斜視図である。
【図１４】図１１に示したホルダーの多様な実施例を示す平面図である。
【図１５】図１１に示したホルダーの多様な実施例を示す平面図である。
【図１６】図１１に示したホルダーの多様な実施例を示す平面図である。
【図１７】図１１に示したホルダーの多様な実施例を示す平面図である。
【発明を実施するための形態】
【００２４】
以下、前述した本発明の好適な実施例を添付図面に基づいて具体的に説明する。
【００２５】
本発明の螺旋形構造を有するスティック型化粧品容器は、図１〜図７に示したように、下体１０、中体２０、ホルダー３０、及び上部キャップ４０から構成される。
【００２６】
前記下体１０は、上部外側に結合ネジ部１１及び結合段部１２が形成され、内部に挿入管１５が垂直に形成され、前記挿入管の外側に上下に昇降案内溝１５ａが少なくとも一つ以上形成される。
【００２７】
そして、前記下体１０の結合段部１２には気密部材５０が結合され、前記結合段部１２にリング形溝部１３が形成され、これに気密部材５０が一体にインサート成形されて結合するように構成される。
【００２８】
前記中体２０は下体１０の上部に回転可能に下部が挿入され、外側中央の係止突起２１が下体１０の上部に装着されるように構成される。
【００２９】
そして、前記中体２０の内部には下部内周縁に螺旋部２２が形成される。
【００３０】
また、前記下体１０と中体２０は、下体の上部内周縁の半円形断面構造を有する組立溝１４に中体の下部外周縁の半円形断面構造を有する組立突起２４が挿入されることによって離脱が防止されるとともに互いに回転可能に結合されるように構成される。
【００３１】
前記ホルダー３０は、下体の内部の挿入管１５に挿入され、内側上下に昇降案内溝１５ａに挿入案内される昇降案内突起３１ａと外側に中体の螺旋部２２に螺合される螺合部３１ｂとが形成された螺旋管３１、及び上部にスティック型内容物３５が結合される結合穴３３ａが形成された結合管３３が一体に構成される。
【００３２】
そして、前記ホルダーの結合管３３には、上端部が中体２０の内径より少なくとも大きい直径を有するように外側に次第に広がる拡開密着部３３ｂが形成されることにより、中体２０の内部に弾発的に密着して気密性を確保するように構成される。
【００３３】
前記拡開密着部３３ｂの構成により、上部キャップ４０の開放時及び構成部品の最初組立後に中体２０の内部への空気の流入が遮断されるので、中体の内部に流入した空気によって化粧内容物３５が乾燥することを防止することができる。
【００３４】
また、前記ホルダーの結合管３３は外側下部に中体２０の内部に密着する支持突起３３ｃが突設されることにより、ホルダーの遊動を防止する支持の役割をするように構成される。すなわち、前記ホルダー３０の昇降時又はホルダーに結合された化粧内容物３５の使用時に化粧内容物の揺れ又は動きを防止するように構成される。
【００３５】
前記螺旋管３１の下部外側には、中体２０の螺旋部２２にかかって離脱を防止する係止突起３２ａが形成され、螺旋管の結合時に内側に弾発的に移動しながら結合されるテンション作動片３２が形成される。
【００３６】
このとき、前記テンション作動片の係止突起３２ａは、ホルダーの挿入方向に傾斜面、分離方向に垂直面を有するように形成される。
【００３７】
また、前記結合管の結合穴３３ａの内壁面には化粧内容物３５が回転方向に空回りしないように保持する役割をする支持リブ３３ｄが上下方向に少なくとも二つ以上突設される。
【００３８】
前記上部キャップ４０は下体１０の結合ネジ部１１に螺合するとか解除することによって開閉され、下部の加圧面４１が下体１０の結合段部１２に備えられた気密部材５０を垂直に加圧しながら気密に結合するように構成される。
【００３９】
特に、前記加圧面４１が線接触状態で気密に作動するように、図８のように気密部材５０の上部に傾いた形態の部分接触面５１がさらに形成されることができる。
【００４０】
また、図９のように、前記加圧面４１と気密部材５０の上面にエンボス４２、５２がさらに形成されることができる。これは、互いに部分的に離隔した状態で密着するように結合して、上部キャップの長時間結合にも互いにくっつく問題を防止するように構成されるものである。
【００４１】
また、前記気密部材５０の部分接触面５１と線接触する上部キャップ４０の下端加圧面４１は内側角部がラウンド状の曲面に形成されることができる。
【００４２】
そして、前記気密部材５０は安定した弾性復元力を提供するために厚さが重要であり、上部キャップの螺合時に適正の垂直加圧力が作用するように０．３〜０．６ｍｍ範囲の突出厚さを有することが好ましい。
【００４３】
図面符号２６ａは、中体２０の内周縁に段差状に形成され、ホルダー３０の挿入時に下降を制限するように支持する支持段に突設されてホルダーとの摩擦を最小化するための支持突起を示す。
【００４４】
次に、前記のように構成される本発明の作動及び作用について説明する。
【００４５】
まず、本発明は、下体１０の上部に中体２０を挿合する。このとき、中体の下部外周縁の組立突起２４が下体の上部内周縁の組立溝１４に挿入されるとともに中体の外側中央の係止突起２１が下体１０の上部に支持されるように結合する。
【００４６】
そして、前記中体２０の内部に、上部に化粧内容物３５が結合されるホルダー３０を挿合する。
【００４７】
すなわち、前記ホルダー３０の螺旋管３１を中体２０の内部に挿入する。このとき、前記螺旋管３１の下部外側にテンション作動片３２の係止突起３２ａが中体の内部の螺旋部２２によって内側に弾発的に収縮しながら挿入されてから元の位置に広がることにより、係止突起３２ａによって離脱が防止されるように結合される。
【００４８】
このとき、前記ホルダーの昇降案内突起３１ａは下体１０の挿入管１５に形成された昇降案内溝１５ａに挿入される。
【００４９】
この状態で、前記中体２０を摘んで下体１０を逆回転させれば、中体の螺旋部２２とホルダー３０の螺旋管３１の外側に形成された螺合部３１ｂの螺旋形構造によってホルダー３０が下降して結合される。
【００５０】
このように、下体１０、中体２０及びホルダー３０を簡単に組み立てることができる。
【００５１】
このように組み立てられた化粧内容物３５を突出させて使おうとする場合には、前述したように下体１０を摘んで中体２０を回転させれば、前記中体２０の螺旋部２２とホルダー３０の螺旋管３１の外側に形成された螺合部３１ｂの螺旋形構造によってホルダー３０が回転することができなくて上昇することになる。
【００５２】
すなわち、前記ホルダー３０の昇降案内突起３１ａが下体１０の挿入管１５に形成された昇降案内溝１５ａに沿って上昇しながら案内される。
【００５３】
このように、本発明は、中体２０の回転操作によって、中体２０の螺旋部２２とホルダーの螺旋管３１の外側に形成された螺合部３１ｂの螺旋形構造（傾斜角が小さい）によってホルダー３０を上昇させるので、中体２０の回転操作がスムーズになり、操作が簡便であり、螺旋のピッチ間隔によって化粧内容物３５の出没程度を微細に調節することができる。
【００５４】
また、前記ホルダー３０の結合管３３は、外側下部に支持突起３３ｃが突設されて中体２０の内部に密着して支持されることによってホルダー３０の動き及び揺れを防止するので、化粧内容物３５が安定に出没するとともに化粧内容物３５の使用時にも動き及び揺れを防止して優れた使用効率性を有する。
【００５５】
その上、前記ホルダー３０の結合管３３は上端部が外側に次第に広がる拡開密着部３３ｂが形成されて中体２０の内部に弾発的に密着して気密性を確保することによって化粧内容物の使用中に外部空気がホルダーの結合管３３と中体２０の間を通じて容器の内部に流入することを防止するので、後述するように、容器の使用後、携帯又は保管時、従来のように容器の内部に存在する外部空気と化粧内容物の接触を防止することになる。
【００５６】
前記のような本発明の化粧品容器は、化粧内容物を使った後、化粧内容物３５を容器の内部に元の位置に挿入した後、下体１０の上部に上部キャップ４０を螺合して保管することになる。
【００５７】
このとき、前記上部キャップ４０の下部加圧面４１が下体１０の上部の結合段部１２にインサート成形された気密部材５０の上部を垂直に加圧して確かに気密結合することになる。
【００５８】
特に、前記気密部材５０の上部に部分接触面５１がさらに形成され、上部キャップの加圧面４１が部分接触面５１に線接触してもっと確かに気密結合することができる。
【００５９】
このように、上部キャップ４０と下体１０の間は気密部材５０でかつ前記中体２０とホルダー３０の間は拡開密着部３３ｂで優れた気密性を確保することにより、化粧内容物の使用中又は使用後にも化粧内容物の水分や香りとともに固有の成分が外部に発散することを最小化し、従来のように外部空気との接触による変質のおそれを最小化することになる。
【００６０】
また、前記上部キャップの加圧面４１と気密部材５０の上面にエンボス４２、５２がさらに形成され、互いに部分的に離隔した状態で密着するように結合されることにより、上部キャップの長時間結合にも互いにくっつく従来の問題を防止するので、上部キャップを簡単に開閉して使うことができる。
【００６１】
一方、本発明は、図１１〜図１３に示したように、他の方式で実施することができる。これは、前述した実施例と比較してみると、ホルダー３０を一体型ではなくて分離型に形成して結合した構造を有するものである。
【００６２】
すなわち、前記ホルダー３０の螺旋管３１と結合管３３が分離形成され、前記結合管の下部には外周に係止突起３４ａを有する等角分割構造の結合管部３４が突設され、前記螺旋管３１の上部には、結合管部３４がワンタッチで挿入されたとき、係止突起３４ａによって離脱が防止されるように結合される結合溝部３１ｃが対応して形成される。
【００６３】
このような実施例は前述した実施例と同様に組み立てて使うことになる。前記ホルダーの螺旋管３１と結合管３３が組立構造に形成され、中体２０を摘んで下体１０を回転させて化粧内容物３５を突出させて使うとき、ホルダーの螺旋管３１が中体の螺旋部２２に対して螺旋方向に回転しながら昇降し、前記螺旋管３１の上部に軸結合された結合管３３は螺旋管３１と一緒に螺旋方向への回転なしに昇降することになる。
【００６４】
すなわち、前記ホルダーの上部結合管３３と下部の螺旋管３１が結合管部３４によって結合溝部３１ｃから離脱が防止されるように結合されているので、螺旋管３１の螺旋方向への回転時に結合管３３は螺旋方向への回転なしに昇降することになる。
【００６５】
このとき、前記ホルダーの上部結合管３３は上部の拡開密着部３３ｂが中体２０の内部に弾発的に密着しており、外側下部に突設された支持突起３３ｃが中体２０の内部に密着して支持されているので、中体２０の内部で螺旋方向への回転なしに一定に昇降することになる。
【００６６】
このように、前記結合管３３が回転なしに昇降し、前記結合管の上部結合穴３３ａに結合された化粧内容物３５も回転なしに昇降して簡便に使うことができる。
【００６７】
このとき、前記化粧内容物３５が回転なしに昇降して出没するから、従来のようにホルダー３０の平面形状が単純な円形以外にも、図１４〜図１７のように、三角形、四角形、五角形などの多角形又はその他に多様な断面形状に形成されても化粧内容物３５を出没させて使用することができるので、製品の形状を多様化することができる。
【００６８】
したがって、本発明は、下体、中体、ホルダー及び上部キャップの４ピースの部品で構成して、従来より容器の組立部品数を最小化して組立構造を簡素化し、組立作業性の向上及び製造コストの節減を成すとともに、化粧内容物を螺旋形構造によって出没させるので、操作が簡便で微細な出没操作が可能であり、また前記下体と上部キャップの間、かつ中体とホルダーの間の気密構造を簡単に形成して従来より気密性を極大化するので、化粧内容物の変質防止による優れた品質維持が可能である。また、ホルダーを一体型又は組立型に構成することによって化粧内容物が螺旋方向に回転するとか又は回転なしに出没するように適用することができ、これにより化粧内容物の平断面形状も円形以外に三角形、四角形、五角形などの多角形又はその他の多様な形状を適用することができる。
【００６９】
以上、本発明を添付図面に基づいて説明したが、本発明はこれに限定されなく、下記の特許請求範囲を逸脱しない範疇で多くの修正及び変更が可能であろう。
【符号の説明】
【００７０】
１０    下体
１１    結合ネジ部
１２    結合段部
１３    溝部
１５    挿入管
１５ａ    昇降案内溝
２０    中体
２２    螺旋部
３０    ホルダー
３１    螺旋管
３１ａ    昇降案内突起
３１ｂ    螺合部
３１ｃ    結合溝部
３２    テンション作動片
３２ａ    係止突起
３３    結合管
３３ａ    結合穴
３３ｂ    拡開密着部
３３ｃ    支持突起
３４    結合管部
３４ａ    係止突起
３５    化粧内容物
４０    上部キャップ
４１    加圧面
４２、５２    エンボス
５０    気密部材
５１    部分接触面
【図１】
2019509826.tif 000003
【図２】
2019509826.tif 000004
【図３】
2019509826.tif 000005
【図４】
2019509826.tif 000006
【図５】
2019509826.tif 000007
【図６】
2019509826.tif 000008
【図７】
2019509826.tif 000009
【図８】
2019509826.tif 000010
【図９】
2019509826.tif 000011
【図１０】
2019509826.tif 000012
【図１１】
2019509826.tif 000013
【図１２】
2019509826.tif 000014
【図１３】
2019509826.tif 000015
【図１４】
2019509826.tif 000016
【図１５】
2019509826.tif 000017
【図１６】
2019509826.tif 000018
【図１７】
2019509826.tif 000019
【国際調査報告】
2019509826.tif 000020
2019509826.tif 000021